(57)【要約】【課題】  検査用ランプから放熱手段への熱伝達性を十分に確保することができるランプ装置を提供する。【解決手段】  検査用ランプ４と、検査用ランプ４の外周部を覆う放熱手段６と、検査用ランプ４と放熱手段６との間に介在される熱伝達手段８ａ，８ｂと、を備えたランプ装置。熱伝達手段８ａ，８ｂはシリコンゴムシート及び金属シートから構成され、検査用ランプ４からの熱が熱伝達手段８ａ，８ｂを介して放熱手段６に伝達され放熱される。これにより、熱伝達手段８ａ，８ｂを介しての検査用ランプ４と放熱手段６との密着性の長期間使用による低下が少なく、検査用ランプ４から放熱手段６への熱伝達性を十分に確保することができる。【選択図】  図１
2007220334.tif 000002
【特許請求の範囲】
【請求項１】
検査用ランプと、前記検査用ランプの外周部を覆う放熱手段と、前記検査用ランプと前記放熱手段との間に介在される熱伝達手段と、を備え、前記検査用ランプからの熱が前記熱伝達手段を介して前記放熱手段に伝達され放熱されるランプ装置において、
前記熱伝達手段は、シリコンゴムシートと、前記シリコンゴムシートの一面に重合された熱伝導性を有する金属シートと、から構成され、前記金属シートは前記放熱手段側に配設されており、前記金属シートの厚さは、前記シリコンゴムシートの厚さよりも薄く構成されていることを特徴とするランプ装置。
【請求項２】
前記放熱手段は、相互に着脱自在に組み合わされる第１放熱部材及び第２放熱部材を備えており、前記第１放熱部材と前記第２放熱部材とを相互に離脱させることにより、前記検査用ランプは前記放熱手段から自在に離脱されることを特徴とする請求項１に記載のランプ装置。
【請求項３】
前記検査用ランプは円柱状に構成され、前記第１放熱部材及び前記第２放熱部材の内側部には断面円弧状の収容凹部がそれぞれ形成されており、前記第１放熱部材の前記収容凹部には前記検査用ランプの一側部が収容され、また第２放熱部材の前記収容凹部には前記検査用ランプの他側部が収容されることを特徴とする請求項２に記載のランプ装置。
【請求項４】
前記検査用ランプの外周部には鍔片が設けられ、また前記第１及び／又は第２放熱部材の内周部には、前記検査用ランプの前記鍔片と係合されるスリットが設けられていることを特徴とする請求項２又は３に記載のランプ装置。
【発明の詳細な説明】
【技術分野】
【０００１】
本発明は、例えば画像処理検査などにおいて被検査物を照明するための光源として用いられるランプ装置に関する。
【背景技術】
【０００２】
従来より、例えば画像処理検査などにおいて、被検査物を照明するための光源としてランプ装置が用いられている（例えば、特許文献１参照）。図６は従来のランプ装置を示す概略要部断面図であり、図示のランプ装置１００は、キセノンランプ１０２と、キセノンランプ１０２の外周部を覆う放熱手段１０４と、を備えている。キセノンランプ１０２は、発光部１０６と、発光部１０６が着脱自在に取り付けられるソケット部１０８と、を有し、ソケット部１０８には、発光部１０６をパルス発光させるためのトリガ回路１１４が内蔵されている。放熱手段１０４は、発光部１０６の外周部を覆う筒状の第１放熱フィン１１６と、ソケット部１０８の外周部を覆う筒状の第２放熱フィン１１８と、を有している。
【０００３】
また、キセノンランプ１０２の外周面には、熱伝達手段としての液状のシリコングリス１２２が塗布されており、これによりキセノンランプ１０２の外周面は、シリコングリス１２２を介して放熱手段１０４の内周面に密着されるようになる。このように構成されているので、発光部１０６及びソケット部１０８からの熱は、シリコングリス１２２を介して第１及び第２放熱フィン１１６，１１８に伝達され放熱される。
【０００４】
【特許文献１】実公平４−３６５００号公報
【発明の開示】
【発明が解決しようとする課題】
【０００５】
しかしながら、上述のような従来のランプ装置１００では、次のような問題がある。第１に、例えば発光部１０６を長時間パルス発光させると、キセノンランプ１０２が発熱により比較的高温（例えば、約１００〜１６０℃）となり、この熱によってシリコングリス１２２が乾燥して固形化される。このようにシリコングリス１２２が固形化されると、キセノンランプ１０２と放熱手段１０４との密着性が低下してしまい、キセノンランプ１０２から放熱手段１０４への熱伝達性が低下する。これにより、キセノンランプ１０２の温度が例えば約２００℃まで上昇し、キセノンランプ１０２の異常発熱によってソケット部１０８のトリガ回路１１４などが破壊されてしまうという問題が生じる。
【０００６】
第２に、寿命となったキセノンランプ１０２を交換する際には、新しいキセノンランプの外周面にシリコングリス１２２を均一に塗布しなければならず、このようなシリコングリス１２２の塗布作業は非常に手間がかかり、ランプ装置１００のメンテナンスを容易に行うことができないという問題が生じる。
【０００７】
本発明の目的は、検査用ランプから放熱手段への熱伝達性を十分に確保することができるランプ装置を提供することである。
本発明の他の目的は、メンテナンスを容易に行うことができるランプ装置を提供することである。
【課題を解決するための手段】
【０００８】
本発明の請求項１に記載のランプ装置は、検査用ランプと、前記検査用ランプの外周部を覆う放熱手段と、前記検査用ランプと前記放熱手段との間に介在される熱伝達手段と、を備え、前記検査用ランプからの熱が前記熱伝達手段を介して前記放熱手段に伝達され放熱されるランプ装置において、
前記熱伝達手段は、シリコンゴムシートと、前記シリコンゴムシートの一面に重合された熱伝導性を有する金属シートと、から構成され、前記金属シートは前記放熱手段側に配設されており、前記金属シートの厚さは、前記シリコンゴムシートの厚さよりも薄く構成されていることを特徴とする。
【０００９】
また、本発明の請求項２に記載のランプ装置では、前記放熱手段は、相互に着脱自在に組み合わされる第１放熱部材及び第２放熱部材を備えており、前記第１放熱部材と前記第２放熱部材とを相互に離脱させることにより、前記検査用ランプは前記放熱手段から自在に離脱されることを特徴とする。
【００１０】
さらに、本発明の請求項３に記載のランプ装置では、前記検査用ランプは円柱状に構成され、前記第１放熱部材及び前記第２放熱部材の内側部には断面円弧状の収容凹部がそれぞれ形成されており、前記第１放熱部材の前記収容凹部には前記検査用ランプの一側部が収容され、また第２放熱部材の前記収容凹部には前記検査用ランプの他側部が収容されることを特徴とする。
【００１１】
また、本発明の請求項４に記載のランプ装置では、前記検査用ランプの外周部には鍔片が設けられ、また前記第１及び／又は第２放熱部材の内周部には、前記検査用ランプの前記鍔片と係合されるスリットが設けられていることを特徴とする。
【発明の効果】
【００１２】
本発明の請求項１に記載のランプ装置によれば、検査用ランプと放熱手段との間に介在される熱伝達手段はシリコンゴムシート及び金属シートから構成されているので、長期間の使用による熱伝達手段を介しての検査用ランプと放熱手段との密着性の低下が少ないので、長期間使用していても検査用ランプから放熱手段への十分な熱伝達性を得ることができる。これにより、検査用ランプが異常発熱するのを抑制することができ、検査用ランプに設けられたトリガ回路などが検査用ランプからの熱により破壊されるのを防止することが可能となる。また、熱伝達手段としてのシリコンゴムシートは適度な粘着性を有するので、寿命となった検査用ランプを交換する際には、新しい検査用ランプの外周面にシリコンゴムシートを貼着すればよく、ランプ装置のメンテナンスを容易に行うことが可能となる。また、金属シートは放熱手段側に配設されているので、寿命となった検査用ランプとともに熱伝達手段としてのシリコンゴムシートを交換する際に、シリコンゴムシートを放熱手段から容易に取り外すことができ、ランプ装置のメンテナンス性を向上させることが可能となる。
【００１３】
また、本発明の請求項２に記載のランプ装置によれば、放熱手段は、相互に着脱自在に組み合わされる第１及び第２放熱部材から構成されているので、第１及び第２放熱部材を相互に離脱させることにより、検査用ランプを放熱手段から自在に離脱させることができ、これにより検査用ランプの交換を容易に行うことが可能となる。
【００１４】
さらに、本発明の請求項３に記載のランプ装置によれば、検査用ランプは円柱状に構成され、第１及び第２放熱部材の内側部には断面円弧状の収容凹部がそれぞれ形成されており、第１放熱部材の収容凹部には検査用ランプの一側部が収容され、また第２放熱部材の収容凹部には検査用ランプの他側部が収容されるので、シリコンゴムシート及び金属シートを収容凹部に容易に取り付けることができるとともに、これらを収容凹部から容易に取り外すことができる。
【００１５】
また、本発明の請求項４に記載のランプ装置によれば、検査用ランプの外周部には鍔片が設けられ、また第１及び／又は第２放熱部材の内周部には、検査用ランプの鍔片と係合されるスリットが設けられるので、例えば検査用ランプを交換する際に、検査用ランプの放熱手段に対する位置決めを容易に且つ確実に行うことができる。
【発明を実施するための最良の形態】
【００１６】
以下、添付の図１〜図４を参照して、本発明に従うランプ装置の一実施形態について説明する。図１は、本発明の一実施形態によるランプ装置を示す分解斜視図であり、図２は、図１のランプ装置を組み付けた検査用光源装置を示す概略斜視図であり、図３は、図２の検査用光源装置を示す概略要部断面図であり、図４は、図３中のＡ−Ａ線によるランプ装置の概略断面図である。
【００１７】
図１〜図４において、図示のランプ装置２は、キセノンランプ４（検査用ランプを構成する）と、キセノンランプ４の外周部を覆う放熱手段６と、キセノンランプ４と放熱手段６との間に介在されるシリコンゴムシート８ａ，８ｂ及び金属シート４４ａ，４４ｂ（熱伝達手段を構成する）と、を備えている。以下、これら各構成要素について詳細に説明する。
【００１８】
キセノンランプ４は円柱状に構成され、発光部１０と、発光部１０を着脱自在に取り付けるソケット部１２と、を有しており、この発光部１０及びソケット部１２の外周部はそれぞれステンレスや鉄等の金属から形成されている。発光部１０の内部にはキセノンガスが封入されているとともに、アーク発光を発生させるための陽極１４及び陰極１６と、予備放電を行うための一対のトリガプローブ１８，２０と、が設けられている。発光部１０の一端部には例えばガラスなどから構成される透光板２２が取り付けられ、またその他端部には軸方向（図３において左右方向）外方に延びる複数のピン２４が設けられている。また、発光部１０の他端部における外周部には、径方向外方に延びるリング状の鍔片２６が設けられている。ソケット部１２の一端部には、発光部１０の複数のピン２４に対応して複数の挿入孔（図示せず）が軸方向に延びて設けられており、ピン２４がソケット部１２の挿入孔に着脱自在に挿入されることにより、発光部１０がソケット部１２に着脱自在に取り付けられる。ソケット部１２の内部にはトリガ回路３０が配設されており、このトリガ回路３０に電気的に接続された電力ケーブル３２は、ソケット部１２の他端部から外部に引き出されて電力供給部（図示せず）（後述する）に電気的に接続される。
【００１９】
放熱手段６は、アルミニウムなどから形成された第１放熱部材３４及び第２放熱部材３６を備えている。第１及び第２放熱部材３４，３６はそれぞれブロック状に構成され、その内側部（すなわち、キセノンランプ４が配設される側の側部）には長手方向に断面円弧状の収容凹部３８，４０がそれぞれ形成されている。第１及び第２放熱部材３４，３６の長手方向の寸法はキセノンランプ４の長手方向の寸法と略同一に構成されており、第１及び第２放熱部材３４，３６が互いの収容凹部３８，４０が対向されるようにして相互に組み合わされると、これら収容凹部３８，４０によって放熱手段６の内部にはキセノンランプ４を収容するための略円筒状の収容空間４２が形成される。図４に示すように、第１放熱部材３４の収容凹部３８の外径Ｄ１は、キセノンランプ４の外径とほぼ同じ大きさに構成され、また第２放熱部材３６の収容凹部４０の外径Ｄ２は、キセノンランプ４の外径にシリコンゴムシート８ａ（８ｂ）及び金属シート４４ａ（４４ｂ）（後述する）の厚さを加えた大きさに構成されている。第１及び第２放熱部材３４，３６の内側部にはそれぞれ、キセノンランプ４の鍔片２６に対応してスリット４６，４８が設けられている。また、第１放熱部材３４の両側端部にはそれぞれ、上下方向に貫通する複数（本実施形態では６個）の貫通孔５０が設けられており、また第２放熱部材３６の内側部における両側端部にはそれぞれ、第１放熱部材３４の複数の貫通孔５０に対応する複数のネジ孔５２が設けられている。
【００２０】
熱伝達手段としてのシリコンゴムシート８ａ，８ｂは矩形状に構成されており、このシリコンゴムシート８ａ，８ｂは熱伝達性、可撓性及び適度な粘着性を有している。シリコンゴムシート８ａの長さは発光部１０の長さとほぼ同じ大きさに構成され、シリコンゴムシート８ｂの長さはソケット部１２の長さとほぼ同じ大きさに構成されている。シリコンゴムシート８ａ，８ｂの幅はそれぞれ、第２放熱部材３６の収容凹部４０の周方向の長さよりも僅かに小さく構成され、またその厚さは約１〜２ｍｍに構成されている。
【００２１】
シリコンゴムシート８ａ，８ｂの一面にはそれぞれ矩形状の金属シート４４ａ，４４ｂが配設（重合）されており、この金属シート４４ａ，４４ｂは、真鍮や銅などの熱伝導性の良い金属から形成されている。金属シート４４ａ，４４ｂの大きさはそれぞれシリコンゴムシート８ａ，８ｂの大きさとほぼ同じ大きさに構成されており、またその厚さは、シリコンゴムシート８ａ，８ｂの厚さよりも薄い約０．０３〜０．０５ｍｍに構成されている。
【００２２】
次に、上記各構成要素を用いてランプ装置２を組み立てる方法について説明する。まず、金属シート４４ａ，４４ｂが第２放熱部材３６側になるようにして、シリコンゴムシート８ａ（８ｂ）及び金属シート４４ａ（４４ｂ）を第２放熱部材３６のスリット４８よりも一端部側（他端部側）における収容凹部４０に着脱自在に取り付けた後に、このシリコンゴムシート８ａ，８ｂ及び金属シート４４ａ，４４ｂを介してキセノンランプ４を第２放熱部材３６の収容凹部４０に載置する。すなわち、金属シート４４ａ，４４ｂが第２放熱部材３６側に配設されるようにして、キセノンランプ４が第２放熱部材３６の収容凹部４０に載置される。かく載置すると、発光部１０（ソケット部１２）と第２放熱部材１２の収容凹部４０との間にはシリコンゴムシート８ａ（８ｂ）及び金属シート４４ａ（４４ｂ）が介在され、またキセノンランプ４の鍔片２６は第２放熱部材３６のスリット４８に係合される。次いで、第１放熱部材３４のスリット４６がキセノンランプ４の鍔片２６に係合されるようにして、第１放熱部材３４の内側部における両側端部を第２放熱部材３６の内側部における両側端部に載置する。かく載置することにより、キセノンランプ４は、第１及び第２放熱部材３４，３６に対して所定の相対的位置に位置決めされるようになる。この状態で、複数（本実施形態では６個）の固定用ネジ５４を第１放熱部材３４の各貫通孔５０に通して対応する第２放熱部材３６の各ネジ孔５２にそれぞれ螺合することにより、第１及び第２放熱部材３４，３６が一体に固定されて放熱手段６が形成され、ランプ装置２の組立が完了される。
【００２３】
このような組立状態においては、キセノンランプ４は放熱手段６の収容空間４２に収容され、キセノンランプ４の発光部１０の一端部は、放熱手段６の一方の開口部近傍に位置付けられる。また、キセノンランプ４の上側部は第１放熱部材３４の収容凹部３８に密着され、またその下側部は、シリコンゴムシート８ａ，８ｂ及び金属シート４４ａ，４４ｂを介して第２放熱部材３６の収容凹部４０に密着される。
【００２４】
上述したランプ装置２は、図３に示すように、次のような検査用光源装置５６に組み付けられる。検査用光源装置５６は、ハウジング５８と、ハウジング５８の一側部に設けられたコネクタ６０と、冷却ファン６２と、ハウジング５８に設けられた複数の吸気用開口６６と、ハウジング５８の内部に設けられたランプ装置２の載置部６４と、キセノンランプ４のトリガ回路３０に所定の電力を供給するための電力供給部（図示せず）と、を備えている。コネクタ６０にはライトガイド６８の基端部７０が着脱自在に接続され、またキセノンランプ４の発光部１０はライトガイド６８の基端部７０に対向される。キセノンランプ４の上側部は第１放熱部材３４の収容凹部３８により直接的に接触して保持されるので、キセノンランプ４と放熱手段６との径方向の相対的位置関係が一定に保持され、キセノンランプ４の光軸をライトガイド６８の光軸に精度良く合致させることが可能となる。
【００２５】
次に、上述したランプ装置２の動作について説明する。検査用光源装置５６の前面に設けられた電源スイッチ７２を押圧すると、商用電源（図示せず）からの商用電力が電力供給部に供給され、これにより冷却ファン６２が回転されるとともに、電力供給部からの所定の電力が電力ケーブル３２を通してトリガ回路３０に供給され、キセノンランプ４の発光部１０において放電が次のようにして行われる。トリガ回路３０からの所定の電圧は、一対のトリガプローブ１８，２０の間に印加されるとともに、陽極１４と陰極１６との間に印加され、これにより一対のトリガプローブ１８，２０の間で予備放電が起こって予備放電路が形成され、次いでこの予備放電路に沿って陽極１４と陰極１６との間に主放電が起こり、アーク発光が発生される。このようにアーク発光が発生すると、キセノンランプ４の発光部１０は所定の発光周波数（例えば、３０Ｈｚ）でもってパルス発光され、この光が発光部１０の透光板２２を通してライトガイド６８の基端部７０へと入射される。
【００２６】
キセノンランプ４の発光部１０がパルス発光されると、発光部１０及びソケット部１２がそれぞれ発熱され、発光部１０及びソケット部１２からの熱は次のようにして放熱される。キセノンランプ４の下側部における発光部１０及びソケット部１２からの熱は、シリコンゴムシート８ａ，８ｂ及び金属シート４４ａ，４４ｂを介して第２放熱部材３６に伝達され、この第２放熱部材３６より放熱される。また、キセノンランプ４の上側部における発光部１０及びソケット部１２からの熱は、第１放熱部材３４に直接的に伝達され、この第１放熱部材３４より放熱される。冷却ファン６２が回転することにより、ハウジング５８の外部の空気が複数の吸気用開口６６を通してハウジング５８の内部に流入され、この流入された空気は、第１及び第２放熱部材３４，３６を冷却しながらハウジング５８の内部を流れた後に、冷却ファン６２を通して外部に排出される。
【００２７】
一方、キセノンランプ４が寿命となった場合には、固定用ネジ５４をネジ孔５２及び貫通孔５０より取り外して第１放熱部材３４を第２放熱部材３６から取り外し、キセノンランプ４を外部に取り出す。例えば発光部１０のみを交換する場合には、発光部１０をソケット部１２から取り外した後に新しい発光部（図示せず）をソケット部１２に取り付ければよい。また、寿命となったキセノンランプ４とともにシリコンゴムシート８ａ，８ｂを交換する際には、シリコンゴムシート８ａ（８ｂ）と第２放熱部材３６との間には金属シート４４ａ（４４ｂ）が介在されているので、シリコンゴムシート８ａ，８ｂが第２放熱部材３６の収容凹部４０に粘着されることがない。すなわち、シリコンゴムシート８ａ，８ｂが断面円形状の収容凹部４０に粘着することにより、シリコンゴムシート８ａ，８ｂの収容凹部４０からの取り外しが困難になるという問題が解消され、これによりシリコンゴムシート８ａ，８ｂを第２放熱部材３６から容易に取り外すことができる。また、キセノンランプ４は放熱手段６から離脱させることができるので、シリコンゴムシート８ａ（８ｂ）がキセノンランプ４の外側面に粘着している場合であっても、シリコンゴムシート８ａ（８ｂ）をキセノンランプ４から取り外す作業を容易に行うことができる。
【００２８】
次に、ランプ装置の他の実施形態について図５を参照して説明する。図５は、本発明の他の実施形態によるランプ装置を示す分解斜視図である。図５において、図１〜図４に示す実施形態の構成要素と同一の構成要素には同一の符号を付して、その説明を省略する。
【００２９】
このランプ装置２Ａでは、放熱手段６Ａの第１及び第２放熱部材３４Ａ，３６Ａの外側部にはそれぞれ複数のフィン部７４，７６が設けられている。第１放熱部材３４Ａは、キセノンランプ４の発光部１０の外側部を覆う第１放熱フィン部７８と、キセノンランプ４のソケット部１２の外側部を覆う第２放熱フィン部８０と、を別体に構成している。第１放熱フィン部７８の長さは発光部１０の長さとほぼ同じ大きさに構成され、また第２放熱フィン部８０の長さはソケット部１２の長さとほぼ同じ大きさに構成されており、キセノンランプ４の上側部において、鍔片２６は第１放熱フィン部７８の一端部と第２放熱フィン部８０の一端部との間に挟持されている。第２シリコンゴムシート８ａ，８ｂはそれぞれ、金属シート４４ａ，４４ｂが第１放熱部材３４Ａ側になるようにして、キセノンランプ４の上側部と第１放熱フィン部７８の収容凹部８２との間及びキセノンランプ４の上側部と第２放熱フィン部８０の収容凹部（図示せず）との間に介在されている。
【００３０】
本実施形態によるランプ装置２Ａでは、発光部１０及びソケット部１２からの熱は次のようにして放熱される。キセノンランプ４の上側部における発光部１０及びソケット部１２からの光は、シリコンゴムシート８ａ，８ｂ及び金属シート４４ａ，４４ｂを介して第１及び第２放熱フィン部７８，８０に伝達され、これら第１及び第２放熱フィン部７８，８０より放熱される。また、キセノンランプ４の下側部における発光部１０及びソケット部１２からの光は、第２放熱部材３６Ａに直接的に伝達され、この第２放熱部材３６Ａより放熱される。上述のように第１及び第２放熱部材３４Ａ，３６Ａの外側部にはそれぞれ複数のフィン部７４，７６が設けられているので、それらの放熱面積は、上記実施形態の第１及び第２放熱部材３４，３６の放熱面積よりもそれぞれ大きくなり、キセノンランプ４からの熱をより効率的に放熱させることができる。
【００３１】
また、キセノンランプ４の下側部は第２放熱部材３６Ａの収容凹部４０により直接的に接触して保持されるので、上記実施形態と同様に、キセノンランプ４の放熱手段６Ａに対する径方向の相対的位置関係が一定に保持される。
【００３２】
以上、本発明に従うランプ装置の種々の実施形態について説明したが、本発明はかかる実施形態に限定されるものではなく、本発明の範囲を逸脱することなく種々の変形乃至修正が可能である。
【００３３】
例えば、上記各実施形態では、検査用ランプをキセノンランプ４から構成したが、これに限られることなく、他の種類の放電ランプから構成するようにしてもよい。
また例えば、上記各実施形態では、キセノンランプ４の発光部１０に鍔片２６を設けたが、ソケット部１２側に設けるようにしてもよい。また、第１放熱部材３４（３４Ａ）及び第２放熱部材３６（３６Ａ）のうちいずれか一方にのみスリットを設けるようにしてもよい。また、上記各実施形態では、キセノンランプ４に鍔片２６を設け、また放熱手段６（６Ａ）にスリット４６，４８を設けるようにしたが、これとは逆に、キセノンランプ４に位置決め用の凹部を設け、また放熱手段６（６Ａ）にキセノンランプ４の凹部に嵌合される位置決め用の突部を設けるようにしてもよい。
【００３４】
また例えば、上記各実施形態では、シリコンゴムシート８ａ，８ｂ及び金属シート４４ａ，４４ｂをキセノンランプ４と第１放熱部材３４（３４Ａ）又は第２放熱部材３６（３６Ａ）との間に介在させるようにしたが、これらをキセノンランプ４と第１放熱部材３４（３４Ａ）との間に介在させるとともに、キセノンランプ４と第２放熱部材３６（３６Ａ）との間に介在させるようにしてもよい。
【図面の簡単な説明】
【００３５】
【図１】本発明の一実施形態によるランプ装置を示す分解斜視図である。
【図２】図１のランプ装置を組み付けた検査用光源装置を示す概略斜視図である。
【図３】図２の検査用光源装置を示す概略要部断面図である。
【図４】図３中のＡ−Ａ線によるランプ装置の概略断面図である。
【図５】本発明の他の実施形態によるランプ装置を示す分解斜視図である。
【図６】従来のランプ装置を示す概略要部断面図である。
【符号の説明】
【００３６】
２，２Ａ，１００  ランプ装置
４，１０２  キセノンランプ
６，６Ａ，１０４  放熱手段
８ａ，８ｂ  シリコンゴムシート
２６  鍔片
３４，３４Ａ  第１放熱部材
３６，３６Ａ  第２放熱部材
４４ａ，４４ｂ  金属シート
４６，４８  スリット
【図１】
2007220334.tif 000003
【図２】
2007220334.tif 000004
【図３】
2007220334.tif 000005
【図４】
2007220334.tif 000006
【図５】
2007220334.tif 000007
【図６】
2007220334.tif 000008